(57)【要約】  【課題】ユーザーが希望する画像態様の画像データを必ず提供できる画像処理装置を提供する。  【解決手段】情報処理装置２００と通信可能に接続されている画像処理装置１００であって、画像処理装置１００の性能における最高の品質で画像データを読み取る画像読取部と、読み取られた画像データを記憶する記憶部と、画像データが記憶された場所を示すＵＲＬ情報を、情報処理装置２００に送信する送信部と、２００情報処理装置から、ＵＲＬ情報で示される場所に記憶されている画像データの要求を、画像態様の指定とともに受け付ける受付部と、その要求に応じて、そのＵＲＬ情報で示す場所に記憶されている画像データを、指定された画像態様の画像データに変換する画像変換部と、画像変換部で変換された画像データを情報処理装置２００に提供する画像提供部と、を備える。【選択図】図２
2011160317.tif 000002
【特許請求の範囲】
【請求項１】
画像処理装置と、当該画像処理装置と通信可能に接続された情報処理装置と、を備える
画像処理システムであって、
前記画像処理装置は、
当該画像処理装置の性能における最高の品質で画像データを読み取る画像読取部と、
読み取られた画像データを記憶する記憶部と、
前記画像データが記憶された場所を示すＵＲＬ情報を、前記情報処理装置に送信する送
信部と、を備え、
前記情報処理装置は、
前記ＵＲＬ情報を受信する受信部と、
前記ＵＲＬ情報で示される場所に記憶されている画像データについて、画像態様を指定
して前記画像処理装置に要求する要求部と、を備え、
前記画像処理装置は、
前記情報処理装置からの要求に応じて、前記ＵＲＬ情報で示す場所に記憶されている画
像データを、指定された前記画像態様の画像データに変換する画像変換部と、
前記画像変換部で変換された画像データを前記情報処理装置に提供する画像提供部と、
を備える、
ことを特徴とする画像処理システム。
【請求項２】
画像処理装置と、当該画像処理装置と通信可能に接続された情報処理装置と、を備える
画像処理システムであって、
前記画像処理装置は、
前記情報処理装置から指定された画像態様で画像データを読み取る画像読取部と、
読み取られた画像データを記憶する記憶部と、
前記画像データが記憶された場所を示すＵＲＬ情報を、前記情報処理装置に送信する送
信部と、を備え、
前記情報処理装置は、
前記ＵＲＬ情報を受信する受信部と、
前記ＵＲＬ情報で示される場所に記憶されている画像データを、画像処理装置に要求す
る要求部と、を備え、
前記画像処理装置は、
前記情報処理装置からの要求に応じて、前記ＵＲＬ情報で示される場所に記憶されてい
る前記画像態様の画像データを前記情報処理装置に提供する画像提供部と、を備える、
ことを特徴とする画像処理システム。
【請求項３】
情報処理装置と通信可能に接続されている画像処理装置であって、
当該画像処理装置の性能における最高の品質で画像データを読み取る画像読取部と、
読み取られた画像データを記憶する記憶部と、
前記画像データが記憶された場所を示すＵＲＬ情報を、前記情報処理装置に送信する送
信部と、
前記情報処理装置から、前記ＵＲＬ情報で示される場所に記憶されている画像データの
要求を、画像態様の指定とともに受け付ける受付部と、
前記要求に応じて、前記ＵＲＬ情報で示す場所に記憶されている画像データを、指定さ
れた前記画像態様の画像データに変換する画像変換部と、
前記画像変換部で変換された画像データを前記情報処理装置に提供する画像提供部と、
を備える、
ことを特徴とする画像処理装置。
【請求項４】
請求項３に記載の画像処理装置であって、
前記画像変換部は、
ＪＰＥＧ、ビットマップ画像、ＰＤＦファイル、高圧縮ＰＤＦファイル、モノクロ画像
、前記画像読取部で読み取られた画像データよりも低解像度の画像、の少なくともいずれ
かに該当する画像態様の画像データに変換する、
ことを特徴とする画像処理装置。
【請求項５】
請求項３又は４に記載の画像処理装置であって、
前記画像変換部は、
サイズ変更、回転、切り出しの少なくともいずれか含む補正をして画像データを変換す
る、
ことを特徴とする画像処理装置。
【請求項６】
情報処理装置と通信可能に接続されている画像処理装置であって、
前記情報処理装置から指定された画像態様で画像データを読み取る画像読取部と、
読み取られた画像データを記憶する記憶部と、
前記画像データが記憶された場所を示すＵＲＬ情報を、前記情報処理装置に送信する送
信部と、
前記情報処理装置から、前記ＵＲＬ情報で示される場所に記憶されている画像データの
要求を受け付ける受付部と、
前記ＵＲＬ情報で示される場所に記憶されている前記画像態様の画像データを前記情報
処理装置に提供する画像提供部と、
を備える、ことを特徴とする画像処理装置。
【請求項７】
請求項６に記載の画像処理装置であって、
前記画像読取部は、
ＪＰＥＧ、ビットマップ画像、ＰＤＦファイル、高圧縮ＰＤＦファイル、モノクロ画像
、当該画像処理装置で読み取り可能な最高の解像度よりも低解像度の画像、の少なくとも
いずれかに該当する態様で、画像データを読み取る、
ことを特徴とする画像処理装置。
【発明の詳細な説明】
【技術分野】
【０００１】
本発明は、画像処理システム、および、画像処理装置に関する。
【背景技術】
【０００２】
画像データをスキャンしたことを電子メールでホストコンピューターに通知して、ホス
トコンピューターからの要求に応じて当該画像データを提供する画像処理装置がある（例
えば、特許文献１）。
【先行技術文献】
【特許文献】
【０００３】
【特許文献１】特開２００４−８６７３１号
【発明の概要】
【発明が解決しようとする課題】
【０００４】
上記のような画像処理装置では、スキャンする画像データの画像態様と、ユーザーが希
望する画像態様と、が合致しないことがあるため、ユーザーが希望する画像態様の画像デ
ータを提供できない場合がある。
【０００５】
本発明は、ユーザーが希望する画像態様の画像データを必ず提供できる画像処理装置を
提供することを目的とする。
【課題を解決するための手段】
【０００６】
上記課題を解決するための本願発明は、情報処理装置と通信可能に接続されている画像
処理装置であって、当該画像処理装置の性能における最高の品質で画像データを読み取る
画像読取部と、読み取られた画像データを記憶する記憶部と、前記画像データが記憶され
た場所を示すＵＲＬ情報を、前記情報処理装置に送信する送信部と、前記情報処理装置か
ら、前記ＵＲＬ情報で示される場所に記憶されている画像データの要求を、画像態様の指
定とともに受け付ける受付部と、前記要求に応じて、前記ＵＲＬ情報で示す場所に記憶さ
れている画像データを、指定された前記画像態様の画像データに変換する画像変換部と、
前記画像変換部で変換された画像データを前記情報処理装置に提供する画像提供部と、を
備える。
【図面の簡単な説明】
【０００７】
【図１】本発明の画像処理システムの概略構成の一例を示すブロック図である。
【図２】画像処理システムの機能構成の一例を示すブロック図である。
【図３】画像処理装置で実行される画像提供処理の一例を説明するためのフローチャートである。
【図４】（Ａ）画像処理装置から情報処理装置に送信する電子メールの表示例を示す図である。（Ｂ）画像態様を指定するＷｅｂページの表示例を示す図である。（Ｃ）画像処理装置から提供された画像データの表示例を示す図である。
【発明を実施するための形態】
【０００８】
以下、本発明の実施形態の一例を図面を参照して説明する。
【０００９】
図１は、本発明の一実施形態が適用された画像処理システム１０の概略構成の一例を示
すブロック図である。図示するように、画像処理システム１０は、画像処理装置１００と
、情報処理装置（ＰＣ）２００と、を備える。画像処理装置１００と情報処理装置２００
は、ＬＡＮ等のコンピューターネットワーク（以下では「ネットワーク」とよぶ）５０を
介して通信可能に接続されている。
【００１０】
＜画像処理装置１００＞
画像処理装置１００は、画像読み取りを行うスキャナー装置（画像読取装置）として機
能する。画像処理装置１００は、図示するように、ＣＰＵ１１０と、ＲＡＭ１２０と、Ｒ
ＯＭ１３０と、操作パネル１４０と、画像読取機構１５０と、ネットワークインターフェ
イス（Ｉ／Ｆ）１６０と、を備えている。もちろん、画像処理装置１００の構成は上記に
限られない。例えば、画像処理装置１００は、さらに、ＵＳＢインターフェイスを備えて
いてもよいし、印刷エンジン、ＦＡＸデータの送受信器などを備えていてもよい。
【００１１】
ＣＰＵ１１０は、他のユニットを制御して画像処理装置１００の各種機能を実現する演
算装置である。ＣＰＵ１１０は、ＲＯＭ１３０などのメモリーに格納された所定のプログ
ラムをＲＡＭ１２０にロードして実行することにより各種機能を実現する。
【００１２】
ＣＰＵ１１０は、例えば、後述する画像読取機構１５０のイメージセンサー（不図示）
を走査して、原稿台に載置された原稿の画像を読み取る。このとき、ＣＰＵ１１０は、イ
メージセンサーなどを搭載したキャリッジ（不図示）、キャリッジの移動を制御するキャ
リッジ駆動モーター（不図示）、などを制御する。
【００１３】
また、ＣＰＵ１１０は、読み取った画像を、画像データとして所定のメモリー（例えば
、ＲＯＭ１３０）に記憶する。そして、ＣＰＵ１１０は、当該画像データのサムネイル画
像（データ）とともに、当該画像データが記憶された場所（画像データを特定するファイ
ル名を含む）を示す情報（例えば、ＵＲＬ［Uniform Resource Locator］情報）を、電子
メールに添付、記載して、情報処理装置２００に送信する。なお、以下では、ＵＲＬ情報
は、画像処理装置１００のＵＲＬと、その画像データを特定するためのＵＲＬパラメータ
ーや画像態様を指定するためのＷｅｂページを特定するためのＵＲＬパラメーターと、で
構成されているものとして説明する。
【００１４】
また、ＣＰＵ１１０は、情報処理装置２００から画像データが要求されると、要求され
た画像データを、ユーザーが指定している画像態様に変換し、情報処理装置２００に提供
（Ｗｅｂページを構成するコンテンツを送信）する。すなわち、ＣＰＵ１１０は、画像処
理装置１００をＷＥＢサーバーとして機能させる処理を行うことができる。
【００１５】
ＲＡＭ１２０は、各種プログラム、データなどを一時的に格納し、ＣＰＵ１１０による
演算時のワークメモリーとして使用される。
【００１６】
ＲＯＭ１３０は、ＦｌａｓｈＲＯＭ等の書き換え可能な記憶媒体であり、各種プログラ
ムを格納する。例えば、ＲＯＭ１３０は、画像読取機構１５０を制御して画像データを読
み取るためのプログラムや、読み取った画像のサムネイル画像を電子メールで情報処理装
置２００に送信するプログラムや、情報処理装置２００からの要求に応じて、ユーザーに
指定された画像態様の画像データを情報処理装置２００に提供するためのプログラムなど
を格納する。
【００１７】
操作パネル１４０は、液晶ディスプレイ、タッチパネルなどを備え、メッセージ等を表
示し、ユーザーからの指示を受け付ける。
【００１８】
画像読取機構１５０は、上述したように、イメージセンサーなどを搭載したキャリッジ
、キャリッジの移動を制御するキャリッジ駆動モーターなどを備え、ＣＰＵ１１０からの
指示に基づいて、原稿台に載置された原稿の画像を読み取る。
【００１９】
ネットワークインターフェイス１６０は、情報処理装置２００とのデータのやりとり（
受信、送信）を制御し、ネットワーク５０を介して情報処理装置２００と通信を行う。
【００２０】
図２は、画像処理システム１０の機能構成図である。図示するように、画像処理装置１
００は、画像読取部１０１と、画像記憶部１０２と、メール送信部１０３と、画像変換部
１０４と、画像提供部（ＷＥＢサーバー）１０５と、を有する。
【００２１】
画像読取部１０１は、原稿台に載置された原稿の画像を読み取る。画像読取部１０１は
、読み取りの画像態様について指定されていない場合には、画像処理装置１００の性能に
おける最高の品質で画像を読み取る。例えば、画像読取部１０１は、設定可能な最高の解
像度で、かつ、設定可能な最高の色数のカラーで、画像を読み取る。また、画像読取部１
０１は、ユーザーから読み取りの画像態様について指定されている場合には、指定された
画像態様で画像を読み取る。
【００２２】
画像記憶部１０２は、画像読取部１０１で読み取られた画像を画像データとしてメモリ
ー（例えば、ＲＯＭ１３０）に記憶する。このとき、画像記憶部１０２は、画像データを
記憶した場所を示す内部向けの情報（例えば、メモリー内において場所およびファイル名
を特定する情報）を、画像データに対応付けて記憶しておく。なお、画像記憶部１０２は
、外部装置（情報処理装置２００など）からアクセス可能なアップロード専用の記憶装置
に、画像データを記憶するようにしてもよい。
【００２３】
メール送信部１０３は、画像読取部１０１で読み取られた画像データのサムネイル画像
と、当該画像データが記憶されている場所（画像データを特定するファイル名や画像態様
を指定するためのＷｅｂページを特定する情報を含む）を示す外部向けの情報（例えば、
ＵＲＬ情報）を、電子メールで情報処理装置２００に送信する。例えば、メール送信部１
０３は、画像記憶部１０２に記憶された画像データをメモリーから読み出し、読み出した
画像データに基づいて、電子メールに添付する場合に適したサイズ（解像度）のサムネイ
ル画像を生成する。さらに、メール送信部１０３は、その画像データを記憶した場所を示
す内部向けの情報を用いて、その画像データを取得するためにアクセスすべき場所を示す
外部向けの情報（例えば、ＵＲＬ情報）を生成する。そして、メール送信部１０３は、生
成したサムネイル画像を添付するとともに、生成した外部向けの情報（ＵＲＬ情報）を記
載した電子メールを作成して情報処理装置２００に送信する。
【００２４】
画像変換部１０４は、ユーザー（情報処理装置２００）から送信するように要求された
画像データを、ユーザー（情報処理装置２００）から指定された画像態様の画像データに
変換する。例えば、画像変換部１０４は、画像記憶部１０２に記憶されている最高品質の
画像データを、情報処理装置２００からの指定に基づいて、ＪＰＥＧ、ビットマップ画像
、ＰＤＦファイル、高圧縮ＰＤＦファイル、モノクロ画像、解像度を低下させた画像、な
どの画像データに変換する。また、画像変換部１０４は、画像記憶部１０２に記憶されて
いる最高品質の画像データに対して、情報処理装置２００からの指定に基づいて、サイズ
変更、回転、切り出し、などの補正を施す。なお、本発明では、上述したように、画像読
取部１０１では画像処理装置１００の性能における最高の品質で画像を読み取っているた
め、情報処理装置２００からどのような画像態様の指定がされたとしても、指定通り変換
することができる。また、ユーザーから読み取りの画像態様について指定されて画像デー
タが読み取られている場合には、画像変換部１０４は、画像データの変換を行う必要がな
い。
【００２５】
そして、画像変換部１０４は、変換後の画像データ（以下では「変換画像データ」とよ
ぶ）を画像提供部１０５に通知する。
【００２６】
画像提供部１０５は、画像変換部１０４で変換された変換画像データ（もちろん、画像
変換部１０４で変換されていない画像データそのものであってもよい）を情報処理装置２
００に提供する。ここで、変換画像データの提供方法としては、例えば、変換画像データ
を含むＷｅｂページのデータを情報処理装置２００に送信する。もちろん、このＷｅｂペ
ージには、変換画像データの他に、テキストデータ、ＨＴＭＬによるレイアウト情報、他
の画像データ、などが含められていてもよい。
【００２７】
本実施形態が適用された画像処理装置１００は、以上のような構成からなる。ただし、
画像処理装置１００の構成はこれに限定されない。例えば、画像処理装置１００は、さら
に、ファクシミリ機能などを有する複合機、コピー機能を有する複写機であってもよい。
【００２８】
また、上記した各構成要素は、画像処理装置１００の構成を理解容易にするために、主
な処理内容に応じて分類したものである。構成要素の分類の仕方や名称によって、本願発
明が制限されることはない。画像処理装置１００の構成は、処理内容に応じて、さらに多
くの構成要素に分類することもできる。また、１つの構成要素がさらに多くの処理を実行
するように分類することもできる。また、各構成要素の処理は、１つのハードウェアで実
行されてもよいし、複数のハードウェアで実行されてもよい。
【００２９】
＜情報処理装置２００＞
図１に戻り、情報処理装置２００は、画像処理装置１００のホストコンピューターとし
て機能する。情報処理装置２００は、図示するように、ＣＰＵ２１０と、ＲＡＭ２２０と
、ＲＯＭ２３０と、出力装置２４０と、キーボード、マウス等からなる入力装置２５０と
、ネットワークインターフェイス（Ｉ／Ｆ）２６０と、を備える一般的なコンピューター
である。
【００３０】
ＣＰＵ２１０は、他のユニットを制御して情報処理装置２００の各種機能を実現する演
算装置である。ＣＰＵ２１０は、ＲＯＭ２３０やハードディスク（不図示）などの記憶媒
体に格納された所定のプログラムをＲＡＭ２２０にロードして実行することにより各種機
能を実現する。
【００３１】
ＣＰＵ２１０は、例えば、画像処理装置１００に対して、画像の読み取りを指示する。
これとともに、ＣＰＵ２０１は、読み取りの画像態様について指定することもできる。ま
た、ＣＰＵ２１０は、画像処理装置１００から送信された電子メールを受信して、受信し
た電子メールの内容（上述した、サムネイル画像とＵＲＬ情報）を出力装置２４０に出力
（表示）させる。また、ＣＰＵ２１０は、画像処理装置１００で読み取られた画像データ
（或いは、変換画像データ）を取得する。このとき、ＣＰＵ２１０は、取得したい画像デ
ータ（ＵＲＬ情報で示される場所に記憶されている画像データ）の画像態様を指定して、
当該画像データを取得する。そして、ＣＰＵ２０１は、取得した画像データ（変換画像デ
ータ）を出力装置２４０に出力（表示）させる。
【００３２】
ＲＡＭ２２０は、各種プログラム、データなどを一時的に格納し、ＣＰＵ２１０による
演算時のワークメモリーとして使用される。
【００３３】
ＲＯＭ２３０は、ＦｌａｓｈＲＯＭ等の記憶媒体であり、各種プログラムを格納する。
例えば、ＲＯＭ２３０は、画像処理装置１００を制御するためのドライバープログラムな
どを格納する。
【００３４】
出力装置２４０は、液晶ディスプレイや有機ＥＬディスプレイなどから構成される。出
力装置２４０には、画像処理装置１００から送信された電子メールや、画像処理装置１０
０から提供された変換画像データ（Ｗｅｂページ）、各種設定画面（例えば、ユーザーが
取得したい画像データの画像態様を指定する画面など）を表示する。
【００３５】
入力装置２５０は、キーボードやマウスなどから構成される。入力装置２５０は、ユー
ザーからの指示を受け付ける。
【００３６】
ネットワークインターフェイス２６０は、画像処理装置１００とのデータのやりとり（
受信、送信）を制御し、ネットワーク５０を介して画像処理装置１００と通信を行う。
【００３７】
また、図２の機能構成図に示すように、情報処理装置１００は、メール受信部２０１と
、入力受付部２０２と、画像取得部２０３と、出力部２０４と、を有する。
【００３８】
メール受信部２０１は、画像処理装置１００から送信された電子メールを受信する。そ
して、メール受信部２０１は、受信した電子メールに添付されているサムネイル画像と、
電子メールに記載されているＵＲＬ情報を、出力部２０４に通知して出力装置２４０に表
示させる。
【００３９】
入力受付部２０２は、入力装置２０２を介して、ユーザーからの指示を受け付ける。例
えば、入力受付部２０２は、ＵＲＬ情報で示される場所にアクセスする指示、画像データ
の画像態様を指定する指示、画像データを保護するためのパスワードの入力、などの各種
入力を受け付ける。
【００４０】
画像取得部２０３は、画像処理装置１００から画像データを取得する処理を行う。例え
ば、画像取得部２０３は、画像データを記憶している画像処理装置１００にアクセスする
指示が入力受付部２０２になされると、ＵＲＬ情報で示される場所に記憶されている画像
データを画像処理装置１００に対して要求する。また、画像取得部２０３は、画像処理装
置１００に要求した画像データの画像態様を指定する画面（Ｗｅｂページ）を出力部２０
４に表示させて、画像態様を指定する指示およびパスワードの入力を、入力受付部２０２
を介して受け付ける。そして、画像取得部２０３は、画像態様を指定する指示およびパス
ワードを画像処理装置１００に通知し、この通知に応じて指定の画像態様に変換された変
換画像データを、画像処理装置１００から受信する。
【００４１】
出力部２０４は、出力装置２４０に各種画面を出力（表示）する。例えば、出力部２０
４は、メール受信部２０１で受信された電子メールの内容（サムネイル画像、ＵＲＬ情報
など）や、ユーザーから画像態様の指定やパスワードの入力を受け付けるための画面や、
画像取得部２０３で取得された変換画像データを含む画面、などを表示する。
【００４２】
本実施形態が適用された情報処理装置２００は、以上のような構成からなる。ただし、
情報処理装置２００の構成はこれに限定されない。例えば、情報処理装置２００は、携帯
電話、ＰＤＡ、ゲーム機といった携帯端末であってもよい。
【００４３】
また、上記した各構成要素は、情報処理装置２００の構成を理解容易にするために、主
な処理内容に応じて分類したものである。構成要素の分類の仕方や名称によって、本願発
明が制限されることはない。情報処理装置２００の構成は、処理内容に応じて、さらに多
くの構成要素に分類することもできる。また、１つの構成要素がさらに多くの処理を実行
するように分類することもできる。また、各構成要素の処理は、１つのハードウェアで実
行されてもよいし、複数のハードウェアで実行されてもよい。
【００４４】
次に、上記構成からなる画像処理システム１０の特徴的な動作について説明する。
【００４５】
＜画像提供処理＞
図３は、本実施形態の画像処理装置１００で実行される画像提供処理の一例を説明する
ためのフローチャートである。
【００４６】
画像処理装置１００の画像読取部１０１は、ユーザーからの指示（操作パネル１４０の
操作、或いは、情報処理装置２００からの通知）を受け付けると、原稿台に載置された原
稿の画像をスキャンする（ステップＳ１０１）。このとき、画像読取部１０１は、上述し
たように、画像処理装置１００の性能における最高の品質で画像を読み取る。なお、画像
読取部１０１は、ユーザーから読み取りの画像態様について指定されている場合には、指
定された画像態様で画像を読み取る。
【００４７】
そして、画像記憶部１０２は、ステップＳ１０１で読み取られた画像を画像データとし
てメモリー（例えば、ＲＯＭ１３０）に記憶する（ステップＳ１０２）。このとき、画像
記憶部１０２は、画像データを記憶した場所を示す内部向けの情報（例えば、メモリー内
において場所およびファイル名を特定する情報）を、画像データに対応付けて記憶してお
く。
【００４８】
次に、メール送信部１０３は、ステップＳ１０１で読み取られた画像データのサムネイ
ル画像と、当該画像データが記憶されている場所を示す外部向けの情報（例えば、ＵＲＬ
情報）を、電子メールで情報処理装置２００に送信する（ステップＳ１０３）。具体的に
は、メール送信部１０３は、ステップＳ１０２で記憶された画像データをメモリーから読
み出し、読み出した画像データに基づいて、電子メールに添付する場合に適したサイズ（
解像度）のサムネイル画像を生成する。さらに、メール送信部１０３は、画像処理装置（
ＷＥＢサーバー）１００に割り当てられているドメインを示すＵＲＬと、その画像データ
を記憶したメモリー内の場所やファイル名を示すＵＲＬパラメーターと、画像態様を指定
するためのＷｅｂページの場所やファイル名を示すＵＲＬパラメーターと、を合成して、
外部装置（情報処理装置２００など）からみて画像データが記憶されている場所を示す外
部向けの情報（ＵＲＬ情報）を生成する。それから、メール送信部１０３は、生成したサ
ムネイル画像を添付するとともに、生成した外部向けの情報（ＵＲＬ情報）を記載した電
子メールを作成して、予め登録されているメールアドレス宛（情報処理装置２００）に送
信する。
【００４９】
このとき、情報処理装置２００側では、メール受信部２０１が電子メールを受信する。
そして、メール受信部２０１は、出力部２０４を介して、受信した電子メールを出力装置
２４０に表示する。
【００５０】
図４（Ａ）は、メール受信部２０１で受信した電子メールの表示例を示す図である。図
示するように、電子メールには、画像処理装置１００で読み取られた画像データのサムネ
イル画像３１０と、当該画像データを取得可能なアクセス先を示すＵＲＬ情報３２０と、
が含まれている。ユーザーは、入力受付部２０２を介して、サムネイル画像３１０或いは
ＵＲＬ情報３２０をタッチする操作をすることにより、画像処理装置１００に対して当該
画像データを要求することができる。
【００５１】
すなわち、画像取得部２０３は、ユーザーから電子メールに記載のＵＲＬ情報３２０に
アクセスする指示を受け付けると、ＵＲＬ情報３２０に含まれるＵＲＬで指定された画像
処理装置１００にアクセスし、画像態様を指定するためのＷｅｂページを要求する。
【００５２】
このとき、図３に示すように、画像処理装置１００の画像変換部１０４は、ステップＳ
１０３で電子メールを送信してから、情報処理装置２００から画像データ（画像態様を指
定するためのＷｅｂページ）が要求されるまで待機している（ステップＳ１０４；Ｎｏ）
。
【００５３】
画像変換部１０４は、情報処理装置２００から画像データ（画像態様を指定するための
Ｗｅｂページ）を要求されると（ステップＳ１０４；Ｙｅｓ）、処理をステップＳ１０５
に移行する。
【００５４】
処理がステップＳ１０５に移行すると、画像処理装置１００の画像提供部１０５は、Ｕ
ＲＬ情報３２０に含まれているＵＲＬパラメーターから、要求されている画像データを特
定するとともに、画像態様を指定するためのＷｅｂページを情報処理装置２００に送信す
る。
【００５５】
そして、情報処理装置２００の画像取得部２０３は、画像処理装置１００に要求した画
像データの画像態様を指定する画面（Ｗｅｂページ）を出力部２０４に表示させて、画像
態様を指定する指示およびパスワードの入力を、入力受付部２０２を介して受け付ける。
【００５６】
図４（Ｂ）は、画像態様を指定するＷｅｂページ４００の表示例を示す図である。図示
するように、Ｗｅｂページ４００には、画像態様を選択するための選択欄４１０と、パス
ワードを入力するための入力欄４２０と、が設けられる。選択欄４１０から１つの画像態
様が選択され、入力欄４２０にパスワードが入力されると、画像取得部２０３は、選択さ
れた画像態様および入力されたパスワードを、画像処理装置１００に通知する。
【００５７】
このとき、画像変換部１０４は、予め登録されているパスワードを参照して、情報処理
装置２００から通知されたパスワードが適正である場合には、情報処理装置２００から要
求された画像データを、情報処理装置２００から通知された画像態様の画像データに変換
する（ステップＳ１０５）。すなわち、画像変換部１０４は、ＪＰＥＧ、ビットマップ画
像、ＰＤＦファイル、高圧縮ＰＤＦファイル、モノクロ画像、解像度を低下させた画像、
などの画像態様が情報処理装置２００から通知された場合には、画像記憶部１０２に記憶
されている最高品質の画像データを、ＵＲＬ情報３２０に含まれているＵＲＬパラメータ
ーで示される場所から読み出し、先に通知された画像態様の画像データに変換する。また
、情報処理装置２００からサイズ変更、回転、切り出しなどの画像態様が通知された場合
には、画像変換部１０４は、画像記憶部１０２に記憶されている最高品質の画像データに
対して、通知された画像態様に対応する補正を施す。その後、画像変換部１０４は、処理
をステップＳ１０６に移行する。
【００５８】
なお、ステップＳ１０１において、ユーザーから読み取りの画像態様について指定され
、指定された画像態様で画像データが読み取られている場合には、画像変換部１０４は、
ステップＳ１０５の処理を省略し、処理をステップＳ１０６に移行する。
【００５９】
処理がステップＳ１０６に移行すると、画像提供部１０６は、ステップＳ１０５で変換
された変換画像データ（或いは、変換されていない画像データ）を情報処理装置２００に
送信する（ステップＳ１０６）。
【００６０】
そして、画像取得部２０３は、変換画像データを画像処理装置１００から受信すると、
受信した変換画像データを、出力部２０４を介して表示する。
【００６１】
図４（Ｃ）は、画像処理装置１００の画像提供部１０６から送信された画像データの表
示例を示す図である。図示するように、Ｗｅｂページ４００には、受信した変換画像デー
タ（変換画像４３０）が表示される。ここで表示される変換画像４３０は、ユーザーが指
定した画像態様の画像データとなる。
【００６２】
図３に戻り、画像提供部１０６は、ステップＳ１０６で変換画像データを送信後、本フ
ローを終了する。
【００６３】
以上の画像提供処理を行うことにより、本実施形態の画像処理装置１００は、ステップ
Ｓ１０１において画像処理装置１００の性能における最高の品質で画像を読み取っている
ため、ユーザーからどのような画像態様の指定がされたとしても、指定通り変換すること
ができる。その結果、ユーザーが希望する画像態様の画像データを必ず提供することがで
きる。
【００６４】
なお、上記した各フローの各処理単位は、画像処理装置１００を理解容易にするために
、主な処理内容に応じて分割したものである。処理ステップの分類の仕方やその名称によ
って、本願発明が制限されることはない。画像処理装置１００が行う処理は、さらに多く
の処理ステップに分割することもできる。また、１つの処理ステップが、さらに多くの処
理を実行してもよい。
【００６５】
また、上記の実施形態は、本発明の要旨を例示することを意図し、本発明を限定するも
のではない。多くの代替物、修正、変形例は当業者にとって明らかである。
【００６６】
例えば、上記の実施形態では、画像提供部（ＷＥＢサーバー）１０５は、画像処理装置
１００で実現されている。しかし、本発明は、これに限定されない。例えば、画像提供部
１０５は、画像処理装置１００とは別の装置に実現させてもよい。この場合、画像提供部
１０５を有する装置は、ネットワーク５０に接続され、画像処理装置１００および情報処
理装置２００と通信可能とする。
【００６７】
また、上記の実施形態では、ＵＲＬ情報３２０は、画像処理装置（ＷＥＢサーバー）１
００に割り当てられているドメインを示すＵＲＬと、画像データを記憶したメモリー内の
場所やファイル名を示すＵＲＬパラメーターと、画像態様を指定するためのＷｅｂページ
の場所やファイル名を示すＵＲＬパラメーターと、で構成されている。しかし、本発明は
、これに限定されない。例えば、ＵＲＬ情報３２０は、ＵＲＬのみ（ただし、このＵＲＬ
には、http://www.xxx.jp/xxx/xxx.jpgのように画像データを特定するファイル名が含ま
れている）で構成されていてもよい。この場合、画像変換部１０４は、情報処理装置２０
０から画像データが要求されると（ステップＳ１０４；Ｙｅｓ）、要求された画像データ
をそのまま情報処理装置２００に提供するのではなく、所定のプログラムを起動して、画
像態様を指定するためのＷｅｂページ４００を情報処理装置２００に送信すればよい。こ
れにより、上記フローと同様の処理を実現することができる。
【符号の説明】
【００６８】
１０・・・画像処理システム、１００・・・画像処理装置、１０１・・・画像読取部、１
０２・・・画像記憶部、１０３・・・メール送信部、１０４・・・画像変換部、１０５・
・・画像提供部、１１０・・・ＣＰＵ（画像処理装置）、１２０・・・ＲＡＭ（画像処理
装置）、１３０・・・ＲＯＭ（画像処理装置）、１４０・・・操作パネル、１５０・・・
画像読取機構、１６０・・・ネットワークインターフェイス（画像処理装置）、２００・
・・情報処理装置、２０１・・・メール受信部、２０２・・・入力受付部、２０３・・・
画像取得部、２０４・・・出力部、２１０・・・ＣＰＵ（情報処理装置）、２２０・・・
ＲＡＭ（情報処理装置）、２３０・・・ＲＯＭ（情報処理装置）、２４０・・・出力装置
、２５０・・・入力装置、２６０・・・ネットワークインターフェイス（情報処理装置）
、３１０・・・サムネイル画像、３２０・・・ＵＲＬ情報、４００・・・Ｗｅｂページ、
４１０・・・選択欄、４２０・・・パスワード、４３０・・・変換画像
【図１】
2011160317.tif 000003
【図２】
2011160317.tif 000004
【図３】
2011160317.tif 000005
【図４】
2011160317.tif 000006